(57)【要約】【課題】複数の原稿を一括して読み取る画像読取装置において、容易に原稿の両面を読み取ること。【解決手段】複合機は、読取部と、ＲＡＭと、ＣＰＵと備える。ＣＰＵは、読取部を用いて名刺の表面あるいは裏面の画像を読み取った個別画像Ｇを複数個含んだ読取画像を複数回に亘って生成し、読取画像が生成される毎に読取画像から個別画像Ｇを切り抜く。そして、前回切り抜かれた各個別画像Ｇと、今回切り抜かれた個別画像Ｇを比較する。この際、ＣＰＵは、各個別画像Ｇに関連付けられた画像位置ＬＹ毎に比較を行い、その比較結果に基づいて各個別画像Ｇが表面画像ＧＯであるか裏面画像ＧＵであるかを判断する。【選択図】図６
2013250725.tif 000002
【特許請求の範囲】
【請求項１】
複数の原稿に記載されている画像を一括して読み取り、全体読取画像を生成する読取部と、
前記全体読取画像が記憶される記憶部と、
制御部と、
を備え、
前記制御部は、
前記読取部を用いて前記全体読取画像を複数回、順次生成させる読取処理と、
前記全体読取画像から、各原稿の個別画像を切り抜く切抜処理と、
前記個別画像を該個別画像が切り抜かれた前記全体読取画像における位置情報に関連付けて、前記読取処理に応じて実行された切抜処理毎に、前記記憶部に記憶する記憶処理と、
前記切抜処理によって前回切り抜かれた各個別画像と、前記切抜処理によって今回切り抜かれた各個別画像とを、対応する前記位置情報毎にそれぞれ比較し、比較を行った前回切り抜かれた個別画像と今回切り抜かれた個別画像の組み合わせである個別画像対が一致する場合、前記個別画像対の双方の個別画像が表面画像であると判断し、前記個別画像対が一致しない場合、前記個別画像対の少なくとも一方の個別画像が表面画像であると判断する判断処理と、
を実行する構成を有する画像読取装置。
【請求項２】
請求項１に記載の画像読取装置であって、
前記切り抜き処理によって前回個別画像が切り抜かれた前回全体読取画像と、前記切り抜き処理によって今回個別画像が切り抜かれた今回全体読取画像と、には複数個の前記個別画像対が存在し、
前記制御部は、
前記判断処理において、複数個の前記個別画像対のうち、一部の前記個別画像対が一致し、残りの前記個別画像対が一致しない場合、一致しない残りの前記個別画像対が前記原稿の表面画像と裏面画像の組み合わせであると判断する、画像読取装置。
【請求項３】
請求項２に記載の画像読取装置であって、
前記制御部は、
一致する一部の前記個別画像対の一方の個別画像を前記記憶部から削除し、一致しない残りの前記個別画像対の個別画像同士を関連付けて前記記憶部に記憶する関連付け処理を更に実行する、画像読取装置。
【請求項４】
請求項１に記載の画像読取装置であって、
前記切り抜き処理によって前回個別画像が切り抜かれた前回全体読取画像と、前記切り抜き処理によって今回個別画像が切り抜かれた今回全体読取画像と、には複数個の前記個別画像対が存在し、
前記制御部は、
前記判断処理において、全ての前記個別画像対が一致しない場合、前記第１全体読取画像から切り抜かれた全ての前記個別画像が表面画像であると判断する、画像読取装置。
【請求項５】
請求項１に記載の画像読取装置であって、
前記切り抜き処理によって前回個別画像が切り抜かれた前回全体読取画像と、前記切り抜き処理によって今回個別画像が切り抜かれた今回全体読取画像と、には複数個の前記個別画像対が存在し、
前記制御部は、
前記判断処理において、全ての前記個別画像対が一致する場合、前記個別画像対の一方の個別画像を前記記憶部から削除する削除処理を更に実行する、画像読取装置。
【請求項６】
請求項５に記載の画像読取装置であって、
表示部を更に備え、
前記制御部は、
前記判断処理において、全ての前記個別画像対が一致する場合、前記今回全体読取画像を再生成するための再読み取りするか否かを選択させる選択情報を前記表示部に表示する再読取表示処理を更に実行する、画像読取装置。
【請求項７】
請求項１ないし請求項６のいずれか一項に記載の画像読取装置であって、
表示部と指示部とを更に備え、
前記切り抜き処理によって前回個別画像が切り抜かれた前回全体読取画像と、前記切り抜き処理によって今回個別画像が切り抜かれた今回全体読取画像と、には複数個の前記個別画像対が存在し、
前記判断処理は、
複数個の前記個別画像対が一致するか否かを判別する判別処理と、
前記判別処理において、少なくとも一部の前記個別画像対が一致しないと判別された場合に、複数の前記個別画像対及び前記判別処理における判別結果を前記表示部に表示させる判別結果表示処理と、
前記判別結果表示処理後に、前記指示部から前記判別結果を変更する変更指示を受け付けた場合に、前記変更指示に従って前記判別結果を変更して前記判断処理の判断結果とし、前記変更指示を受け付けない場合に、前記判別結果を前記判断結果とする変更処理と、
を含む、画像読取装置。
【請求項８】
請求項１ないし請求項７のいずれか一項に記載の画像読取装置であって、
前記原稿を載置する原稿台を更に備え、
前記読取部は、前記原稿台に載置された前記複数の原稿に記載されている画像を一括して読み取る、画像読取装置。
【請求項９】
請求項８に記載の画像読取装置であって、
前記原稿は、名刺であり、
前記読取部は、名刺フォルダに収容されて前記原稿台に載置された前記複数の名刺に記載されている画像を一括して読み取る、画像読取装置。
【請求項１０】
請求項９に記載の画像読取装置であって、
指示部を更に備え、
前記制御部は、
前記指示部から名刺フォルダ読取指示が入力された場合に、前記名刺フォルダに収容された前記複数の名刺に記載されている画像を一括して読み取る、画像読取装置。
【発明の詳細な説明】
【技術分野】
【０００１】
本明細書によって開示される技術は、画像読取装置に用いられる技術に関する。
【背景技術】
【０００２】
原稿台に載置される原稿を読み取る画像読取装置では、名刺などの小型の原稿が原稿台に複数載置され、これら複数の原稿を一括して読み取ることで、複数の原稿の画像を含んだ読取画像を読み取る。（例えば、特許文献１）。これら原稿の中には、原稿の表面だけでなく裏面をも読み取られることが望まれるものがある。従来の画像読取装置では、複数の原稿を一括して読み取る場合であって、原稿の両面を読み取る場合のために、原稿の表面を読み取る表面読取モードと、原稿の裏面を読み取る裏面読取モードを設けておき、読取モードを切り替えて原稿の両面を読み取っていた。そして、表面読取モードを用いて読み取った読取画像に含まれる各原稿の画像を、原稿の表面画像と判断し、裏面読取モードを用いて読み取った読取画像に含まれる各原稿の画像を、原稿の裏面画像と判断し、原稿の画像の保存や関連付け等の各種処理を行っていた。
【先行技術文献】
【特許文献】
【０００３】
【特許文献１】特開２００７−２０６９３９号公報
【発明の概要】
【発明が解決しようとする課題】
【０００４】
例えば、複数の原稿を一括して読み取る場合であって、原稿の両面を読み取る場合、原稿の表面画像を読み取った後、原稿台に載置され原稿を読み取る場合には、原稿台に載置された原稿のうち裏面の読み取りを行いたい原稿のみを裏返して原稿の裏面画像を読み取る。また、フォルダ等に収容されて搬送される原稿を読み取る場合には、裏面の読み取りを行いたい原稿のみを裏返してフォルダ等に収容してフォルダ等を再搬送し、原稿の裏面画像を読み取る。このようにすれば、両面を読み取りたい原稿に対して原稿の両面の画像を読み取ることができる。
【０００５】
しかし、上記の方法では、読み取った原稿の画像が、原稿の表面画像であるか裏面画像であるかを判断することができない。従来の画像読取装置のように、読取モードを切り替えて原稿の画像を読み取ることで、読み取った原稿の画像が表面画像又は裏面画像のいずれであるかを判断できる一方、原稿を読み取る際に読取モードの切り換えという煩雑な作業が必要となり、容易に原稿の裏面を読み取ることができない問題点が生じていた。
【０００６】
本発明は、複数の原稿を一括して読み取る画像読取装置において、容易に原稿の両面を読み取る技術を開示する。
【課題を解決するための手段】
【０００７】
本明細書によって開示される画像読取装置は、複数の原稿に記載されている画像を一括して読み取り、全体読取画像を生成する読取部と、前記全体読取画像が記憶される記憶部と、制御部と、を備え、前記制御部は、前記読取部を用いて前記全体読取画像を複数回、順次生成させる読取処理と、前記全体読取画像から、各原稿の個別画像を切り抜く切抜処理と、前記個別画像を該個別画像が切り抜かれた前記全体読取画像における位置情報に関連付けて、前記読取処理に応じて実行された切抜処理毎に、前記記憶部に記憶する記憶処理と、前記切抜処理によって前回切り抜かれた各個別画像と、前記切抜処理によって今回切り抜かれた各個別画像とを、対応する前記位置情報毎にそれぞれ比較し、比較を行った前回切り抜かれた個別画像と今回切り抜かれた個別画像の組み合わせである個別画像対が一致する場合、前記個別画像対の双方の個別画像が表面画像であると判断し、前記個別画像対が一致しない場合、前記個別画像対の少なくとも一方の個別画像が表面画像であると判断する判断処理と、を実行する構成を有する。
【０００８】
この画像読取装置では、切抜処理によって今回切り抜かれた各個別画像と前回切り抜かれた各個別画像を比較する際に、対応する位置情報に関連つけられている個別画像同士でそれぞれ比較し、一致するか否かによって個別画像対に含まれる個別画像が表面画像であるか裏面画像であるかを判断する。そのため、従来技術のように、読取モードを切り替えなくても、読み取った原稿の画像が、原稿の表面画像であるか裏面画像であるかを判断することができ、容易に原稿の両面を読み取ることができる。
【０００９】
この画像読取装置では、前記切り抜き処理によって前回個別画像が切り抜かれた前回全体読取画像と、前記切り抜き処理によって今回個別画像が切り抜かれた今回全体読取画像と、には複数個の前記個別画像対が存在し、前記制御部は、前記判断処理において、複数個の前記個別画像対のうち、一部の前記個別画像対が一致し、残りの前記個別画像対が一致しない場合、一致しない残りの前記個別画像対が前記原稿の表面画像と裏面画像の組み合わせであると判断する構成としても良い。この画像読取装置によれば、前回全体読取画像と今回全体読取画像に含まれる個別画像に裏面画像が含まれていることを判断することができる。
【００１０】
この画像読取装置では、前記制御部は、一致する一部の前記個別画像対の一方の個別画像を前記記憶部から削除し、一致しない残りの前記個別画像対の個別画像同士を関連付けて前記記憶部に記憶する関連付け処理を更に実行する構成としても良い。この画像読取装置によれば、第１全体読取画像と第２全体読取画像に含まれる表面画像と裏面画像とを関連付けて記憶することができる。
【００１１】
この画像読取装置では、前記切り抜き処理によって前回個別画像が切り抜かれた前回全体読取画像と、前記切り抜き処理によって今回個別画像が切り抜かれた今回全体読取画像と、には複数個の前記個別画像対が存在し、前記制御部は、前記判断処理において、全ての前記個別画像対が一致しない場合、前記第１全体読取画像から切り抜かれた全ての前記個別画像が表面画像であると判断する構成としても良い。この画像読取装置によれば、第１全体読取画像と第２全体読取画像に含まれる個別画像に裏面画像が含まれていないことを判断することができる。
【００１２】
この画像読取装置では、前記切り抜き処理によって前回個別画像が切り抜かれた前回全体読取画像と、前記切り抜き処理によって今回個別画像が切り抜かれた今回全体読取画像と、には複数個の前記個別画像対が存在し、前記制御部は、前記判断処理において、全ての前記個別画像対が一致する場合、前記個別画像対の一方の個別画像を前記記憶部から削除する削除処理を更に実行する構成としても良い。この画像読取装置によれば、重複した個別画像が記憶部に記憶されることを防止し、記憶部の記憶容量の増大を抑制することができる。
【００１３】
この画像読取装置では、表示部を更に備え、前記制御部は、前記判断処理において、全ての前記個別画像対が一致する場合、前記今回全体読取画像を再生成するための再読み取りするか否かを選択させる選択情報を前記表示部に表示する再読取表示処理を更に実行する構成としても良い。全ての個別画像対が一致する場合、画像読取装置の使用者が、前回全体読取画像の生成のための読み取りと今回全体読取画像の生成のための読み取りの間に、原稿の裏返しを忘れた可能性が高い。この画像読取装置によれば、上記の場合に、表示部を用いて使用者に再読み取りについて報知することで、原稿の裏面画像が読み取られない事態の発生を抑制することができる。
【００１４】
この画像読取装置では、表示部と指示部とを更に備え、前記切り抜き処理によって前回個別画像が切り抜かれた前回全体読取画像と、前記切り抜き処理によって今回個別画像が切り抜かれた今回全体読取画像と、には複数個の前記個別画像対が存在し、前記判断処理は、複数個の前記個別画像対が一致するか否かを判別する判別処理と、前記判別処理において、少なくとも一部の前記個別画像対が一致しないと判別された場合に、複数の前記個別画像対及び前記判別処理における判別結果を前記表示部に表示させる判別結果表示処理と、前記判別結果表示処理後に、前記指示部から前記判別結果を変更する変更指示を受け付けた場合に、前記変更指示に従って前記判別結果を変更して前記判断処理の判断結果とし、前記変更指示を受け付けない場合に、前記判別結果を前記判断結果とする変更処理と、を含む構成としても良い。
【００１５】
この画像読取装置によれば、第１全体読取画像と第２全体読取画像に含まれる複数の個別画像対のうち、少なくとも一部の個別画像対が一致しないと判別された場合に、表示部にその判別結果を表示し、使用者からの判別結果の変更を受け付けることで、誤って一致しないと判別された場合に、その判別結果を変更し、正しい判別をすることができる。
【００１６】
この画像読取装置では、前記原稿を載置する原稿台を更に備え、前記読取部は、前記原稿台に載置された前記複数の原稿に記載されている画像を一括して読み取る構成としても良い。この画像読取装置によれば、原稿台に載置された複数の原稿の画像を一括して読み取ることができる。
【００１７】
この画像読取装置では、前記原稿は、名刺であり、前記読取部は、名刺フォルダに収容されて前記原稿台に載置された前記複数の名刺に記載されている画像を一括して読み取る構成としても良い。この画像読取装置によれば、名刺フォルダに収容された複数の名刺の画像を一括して読み取ることができる。
【００１８】
この画像読取装置では、指示部を更に備え、前記制御部は、前記指示部から名刺フォルダ読取指示が入力された場合に、前記名刺フォルダに収容された前記複数の名刺に記載されている画像を一括して読み取る構成としても良い。この画像読取装置によれば、名刺フォルダ読取指示が入力された場合に、名刺フォルダに収容された複数の名刺の画像を一括して読み取ることができる。
【発明の効果】
【００１９】
本明細書に開示される発明によれば、画像読取装置において、複数の原稿を一括して読み取る画像読取装置において、容易に原稿の両面を読み取ることができる。
【図面の簡単な説明】
【００２０】
【図１】複合機の模式的な断面図
【図２】複合機の模式的なブロック図
【図３】読取処理を示すフローチャート
【図４】読取処理を示すフローチャート
【図５】読取画像Ｙを示す図
【図６】個別画像Ｇを示す図
【図７】読取処理を示すフローチャート
【図８】変更画面を示す図
【発明を実施するための形態】
【００２１】
＜実施形態１＞
実施形態１を、図１ないし図６を用いて説明する。
【００２２】
１．複合機の外観構成
図１は、本発明の画像読取装置の一例である複合機１の断面図である。この複合機１は、プリンタ機能、スキャナ機能、コピー機能、ファクシミリ機能などを備えた多機能周辺装置である。
【００２３】
図１に示すように、複合機１は、本体部２の上方に原稿を読み取るための画像読取部３を備えている。画像読取部３は、読取部３０、原稿自動送り装置（以下、ＡＤＦ）４０、原稿載置部５０等を含む。
【００２４】
原稿載置部５０は、台枠５１、透明なガラス板からなる第１プラテンガラス５２、第２プラテンガラス５３、及びこれらのガラス５２、５３の中間に配置された中間枠５４を含む。原稿載置部５０は、ＡＤＦ４０を内在する原稿カバー４８によって開閉可能に覆われている。第１プラテンガラス５２は、原稿台の一例である。
【００２５】
ＡＤＦ４０は、原稿カバー４８内に設けられており、ＡＤＦカバー４１、原稿トレイ４２、押圧部材４４、各種ローラ４６、排紙トレイ４７、フロントセンサ（以下、Ｆセンサ）１３、リアセンサ（以下、Ｒセンサ）１４等を含む。
【００２６】
ＡＤＦ４０には、原稿、あるいは名刺等の小型の原稿の複数が収容されたフォルダ（以下、原稿等）を原稿トレイ４２から排紙トレイ４７に搬送する搬送経路４５が設けられている。以後、搬送経路４５に沿った方向を搬送方向と呼び、これに直交する方向を直交方向と呼ぶ。図１に、搬送方向を矢印８１で示す。
【００２７】
ローラ４６は、原稿トレイ４２に載置された原稿等を搬送経路４５上に搬送し、排紙トレイ４７に排紙する。つまり、ローラ４６及びローラ４６を回転駆動させるモータＭ１（図２参照）によって、原稿トレイ４２に載置された原稿等が排紙トレイ４７へと搬送される。
【００２８】
また、原稿トレイ４２に、Ｆセンサ１３が配置されている。Ｆセンサ１３は、原稿トレイ４２に原稿等が載置されたか否かを検出する。また、搬送経路４５上には、Ｒセンサ１４が配置されている。Ｒセンサ１４は、搬送経路４５上の当該センサが配置された位置に原稿等が存在するか否かを検出する。
【００２９】
また、搬送経路４５上のＲセンサ１４の下流側に、読取部３０が配置されている。読取部３０は、本体部２内に配置されており、搬送方向と直交する直交方向広がって形成されている。読取部３０は、ローラ３８及びローラ３８を回転駆動させるモータＭ２（図２参照）によって、図１に矢印８２で示す移動方向に移動可能に支持されている。直交方向は、読取部３０の主走査方向に等しい。
【００３０】
読取部３０は、図１に点線で示すように、移動方向に移動しながら第１プラテンガラス５２上に静止して載置された原稿等の画像を主走査方向に読み取る。この際、矢印８２で示す移動方向が、読取部３０の副走査方向に等しくなる。また、図１に実線で示すように、第２プラテンガラス５３下の搬送経路４５上の固定位置である読取位置Ｌに移動し、ローラ４６等によって搬送される原稿等の画像を主走査方向に読み取る。この場合、矢印８１で示す原稿等の搬送方向が読取部の副走査方向となる。この際、読取部３０は、ローラ４６等によって搬送される原稿等が第２プラテンガラス５３上を通過する際の当該原稿等の画像を読み取り、搬送方向が、読取部３０の副走査方向に等しくなる。
【００３１】
第２プラテンガラス５３に対向して、押圧部材４４が配置されている。押圧部材４４は、第２プラテンガラス５３上を通過する原稿等が第２プラテンガラス５３から浮かないように、原稿等を第２プラテンガラス５３に押圧する。なお、以下の説明において、特に記載がない場合には、図１に点線で示すように、移動方向に移動しながら第１プラテンガラス５２上に静止して載置された原稿等の画像を読み取る読取部３０の状態及び動作を説明しているものとする。
【００３２】
次に、読取部３０の構造について説明する。読取部３０は、ＣＩＳ（Ｃｏｎｔａｃｔ  Ｉｍａｇｅ  Ｓｅｎｓｏｒ）を用いた、いわゆるＣＩＳ方式で第１プラテンガラス５２上に配置された原稿等の画像を読み取る。読取部３０は、複数の受光素子が主走査方向に直線状に配列されているリニアイメージセンサ３３、発光ダイオードなどで構成される光源３１、光源から照射される光を第２プラテンガラス５３上に配置された原稿等へと導く導光体３６、原稿等で反射された反射光をリニアイメージセンサ３３の各受光素子に結像させるロッドレンズアレイ３２、これらが搭載されるキャリッジ３４を含む。リニアイメージセンサ３３は、受光素子の一例である。
【００３３】
読取部３０は、原稿等の画像を読み取る際に、副走査方向に移動し、光源３１から第１プラテンガラス５２の下面に光を照射する。リニアイメージセンサ３３は、光源３１によって照射され、原稿等で反射された反射光を受光する。これによって、読取部３０に対して相対移動する原稿等の画像が読取部３０によって読み取られる。これによって生成された画像は、後述するＲＡＭ２３に記憶される。
【００３４】
読取部３０は、例えば、第１プラテンガラス５２上に名刺等の小型の原稿の複数が載置された場合、これら複数の原稿を含む読取範囲を読み取る。そのため、生成された読取範囲の読取画像には、各原稿の画像が読み取られた個別画像の複数が含まれる。つまり、読取部３０は、第１プラテンガラス５２上に載置され、かつ読取範囲に含まれる複数の原稿の画像を一括して読み取り、複数の個別画像を含む読取範囲の読取画像を生成する。読取範囲の読取画像は、全体読取画像の一例である。
【００３５】
また、読取部３０は、例えば、第１プラテンガラス５２上に複数の原稿を収容するフォルダが載置された場合、フォルダの画像を読み取る。一般に、名刺などの小型の原稿の複数を収容するフォルダでは、収容された原稿がフォルダの表面側から視認可能に構成されている。そのため、生成されたフォルダの読取画像には、各原稿の画像が読み取られた個別画像の複数が含まれる。つまり、読取部３０は、フォルダに収容され、フォルダを介して第１プラテンガラス５２上に載置された複数の原稿の画像を一括して読み取り、複数の個別画像を含むフォルダの読取画像を生成する。フォルダの読取画像は、全体読取画像の別例である。
【００３６】
複合機１には、更に、電源ボタンなどの各種のボタンからなり、使用者からの操作入力を受け付ける指示部１１（図２参照）、複合機１の状態や読取部３０が読み取った個別画像等を表示するとともに、使用者からの操作入力を受け付けるタッチパネルからなる表示部１２（図２参照）が設けられている。
【００３７】
２．複合機の電気的構成
図２に示すように、複合機１は、ＣＰＵ２１と、ＲＯＭ２２と、ＲＡＭ２３と、ＡＤＦ駆動回路２４と、読取部駆動回路２５と、デバイス制御部２６と、アナログフロントエンド（以下、ＡＦＥ）２７と、を主要部として備え、これらがバス２９を介して接続されている。ＣＰＵ２１とＲＯＭ２２をあわせたものが、制御部の一例であり、ＲＡＭ２３が、記憶部の一例である。
【００３８】
ＲＯＭ２２には、複合機１の動作を制御するための各種のプログラムが記憶されており、ＣＰＵ２１は、ＲＯＭ２２から読み出したプログラムに従って各部の制御を行う。
【００３９】
ＡＤＦ駆動回路２４は、ＣＰＵ２１からの命令に基づいて、モータＭ１にパルス信号を送信する。モータＭ１は、パルス信号の１パルスで、１ステップの回転角度分、回転駆動する。モータＭ１が１ステップ分駆動すると、ローラ４６が駆動し、搬送経路４５上を原稿が第１規定距離だけ搬送される。ＡＤＦ駆動回路２４は、原稿を搬送する際に、ＣＰＵ２１からの制御に従って、所定数のパルス信号をモータＭ１に送信し、これに従ってローラ４６は、そのパルス信号のパルスの数に第１規定距離を掛けた距離だけ原稿を搬送する。
【００４０】
読取部駆動回路２５は、ＣＰＵ２１からの命令に基づいて、モータＭ２にパルス信号を送信し、モータＭ２を１ステップの回転角度分、回転駆動させる。モータＭ２が１ステップ分駆動すると、ローラ３８が駆動し、読取部３０が主走査方向に第２規定距離だけ搬送される。読取部駆動回路２５は、原稿を搬送する際に、ＣＰＵ２１からの制御に従って、所定数のパルス信号をモータＭ２に送信し、これに従ってローラ３８は、そのパルス信号のパルスの数に第２規定距離を掛けた距離だけ読取部３０を搬送する。
【００４１】
デバイス制御部２６は、読取部３０に接続されており、ＣＰＵ２１からの命令に基づいて、光源３１の点灯／消灯、及びリニアイメージセンサ３３による読み取りを制御する信号を読取部３０に送信する。読取部３０は、デバイス制御部２６からの信号に基づいて、原稿等を読み取り、読み取った読取画像をＡＦＥ２７へと出力する。
【００４２】
ＡＦＥ２７は、読取部３０に接続されており、ＣＰＵ２１からの命令に基づいて、読取部３０から出力されるアナログ信号の読取画像をデジタル信号の読取画像に変換する。ＡＦＥ２７は、変換後の読取画像を、バス２９を介してＲＡＭ２３に記憶する。
【００４３】
３．読取処理
次に、図３ないし図６を参照して、複数の原稿の一例である複数の名刺の画像を読み取る読取処理について説明する。本実施形態では、図５に示すように、複数の名刺ＮＣを名刺フォルダＭに収容し、名刺フォルダＭを読み取って生成した読取画像Ｙから、各名刺ＮＣの画像を読み取った個別画像Ｇを生成する場合について、主に説明する。
【００４４】
（名刺フォルダ）
名刺フォルダＭにおいて、名刺ＮＣは、名刺フォルダＭの規格によって定まる規格位置ＬＭ１〜ＬＭ８に収容される。そのため、個別画像Ｇは、読取画像Ｙにおいて、規格位置ＬＭ１〜ＬＭ８に相当する画像位置ＬＹ１〜ＬＹ８にそれぞれ配置される。
【００４５】
また、名刺フォルダＭにおいて、名刺ＮＣは、一般に、名刺ＮＣの表面が名刺フォルダＭの表面側となるように収容される。ここで、名刺ＮＣの表面及び裏面とは、例えば、名刺ＮＣの一方の面にのみ文字や図形等の記載がある場合には、記載が有る面が表面となり、記載が無い面が裏面となる。また、名刺ＮＣの一方の面に日本語表記がされ、他方の面に英語表記がされている場合には、一方の面が表面であり、他方の面が裏面となる。そのため、通常、名刺フォルダＭの表面側を読み取ることで、名刺ＮＣの表面の個別画像Ｇ（以下、表面画像ＧＯ）が生成される。
【００４６】
名刺フォルダＭに収容される名刺ＮＣでは、その表面の画像だけでなく裏面の画像も読み取りが必要とされる場合がある。しかし、名刺フォルダＭでは、収容された名刺ＮＣが名刺フォルダＭの裏面側からは視認不能であることがあり、名刺フォルダＭの裏面側を読み取った場合でも、名刺ＮＣの裏面の個別画像Ｇ（以下、裏面画像ＧＵ）を生成することができない場合がある。そのため、名刺フォルダＭに収容される名刺ＮＣの両面の画像を読み取る場合、使用者は、まず名刺フォルダＭの表面側を一度読み取り、裏面の画像の読み取りが必要な名刺ＮＣを裏返し、続けて再度当該名刺フォルダＭの表面側を読み取る。これにより、二度目に生成された読取画像Ｙに、名刺ＮＣの裏面画像ＧＵを含めることができる。
【００４７】
本実施形態では、図５に示すように、３つの名刺フォルダＭＡ、ＭＢ、ＭＣに収容された名刺ＮＣ１〜ＮＣ２４の画像を読み取る場合であり、名刺フォルダＭＢに含まれる名刺ＮＣ１１については、その表面と裏面を読み取る場合について説明を行う。そのため、３つの名刺フォルダＭＡ、ＭＢ、ＭＣの読取処理では、名刺フォルダＭＡの読取画像ＹＡと、名刺フォルダＭＢの１度目の読取画像ＹＢ１と、名刺フォルダＭＢの２度目の読取画像ＹＢ２と、名刺フォルダＭＣの読取画像ＹＣとが、順次生成される。
【００４８】
（読取処理）
次に、図３、４を用いて読取処理のフローについて説明する。ＣＰＵ２１は、指示部１１や表示部１２を介して使用者から読取指示が入力されると、読取処理を開始する。ＣＰＵ２１は、読取処理を開始すると、読取モードとして名刺フォルダ読取モードが指定されているかを確認する（Ｓ２）。名刺フォルダ読取モードの指定は、名刺フォルダ読取指示の入力の一例である。
【００４９】
ここで、名刺フォルダ読取モードとは、複数の名刺ＮＣを名刺フォルダＭに収容し、その名刺フォルダＭを第１プラテンガラス５２上に載置して読み取るモードである。また、名刺フォルダ読取モードと異なる読取モードとして、例えば個別読取モードがある。個別読取モードとは、使用者によって第１プラテンガラス５２上に各々配置された複数の名刺ＮＣを、これら複数の名刺ＮＣを含む読取範囲を設定して読み取るモードである。いずれの読取モードにおいても、第１プラテンガラス５２上に配置された複数の名刺ＮＣが一括して読み取られる。
【００５０】
ＣＰＵ２１は、名刺フォルダ読取モードが設定されていない場合（Ｓ２：ＮＯ）、個別読取モード等、名刺フォルダ読取モードと異なる読取モードを用いて複数個の名刺ＮＣの画像を読み取り、読取処理を終了する（Ｓ４）。
【００５１】
一方、ＣＰＵ２１は、名刺フォルダ読取モードが設定されている場合（Ｓ２：ＹＥＳ）、名刺フォルダ読取モードによる読み取りを開始する。ＣＰＵ２１は、読取指示が入力されてから読み取られた読取画像Ｙの数を示す読取数Ｎを「０」に初期化し（Ｓ６）、表示部１２に切換画面を表示する（図示省略）。切換画面には、名刺フォルダＭの読み取りを開始するための読取ボタン、及び読取処理を終了するための終了ボタンが含まれる。ＣＰＵ２１は、切換画面を表示後、使用者からの入力を待機する（Ｓ８：ＮＯ、Ｓ１０：ＮＯ）。
【００５２】
ＣＰＵ２１は、使用者によって終了ボタンが押圧された場合（Ｓ８：ＹＥＳ、Ｓ１０：ＮＯ）、読取処理を終了する。一方、ＣＰＵ２１は、使用者によって第１プラテンガラス５２上に名刺フォルダＭＡが載置され、読取ボタンが押圧された場合（Ｓ８：ＮＯ、Ｓ１０：ＹＥＳ）、読取数Ｎを「１」増加させ（Ｓ１２）、名刺フォルダＭＡの読取画像ＹＡを生成し、ＲＡＭ２３に記憶する（Ｓ１４）。
【００５３】
次に、ＣＰＵ２１は、ＲＡＭ２３に記憶された読取画像ＹＡにエッジ抽出処理等の画像処理を実行し、名刺ＮＣ１〜８の個別画像Ｇ１〜Ｇ８を切り抜く（Ｓ１６）。個別画像Ｇ１〜Ｇ８は、読取画像ＹＡの画像位置ＬＹ１〜ＬＹ８から切り抜かれた個別画像Ｇである。ＣＰＵ２１は、各個別画像Ｇを、当該個別画像Ｇが切り抜かれた画像位置ＬＹに関連付けてＲＡＭ２３に記憶する（Ｓ１８）。
【００５４】
次に、ＣＰＵ２１は、再び表示部１２に切換画面を表示し、使用者からの入力を待機する（Ｓ２０：ＮＯ、Ｓ２２：ＮＯ）。ＣＰＵ２１は、使用者によって第１プラテンガラス５２上に名刺フォルダＭＡに代えて名刺フォルダＭＢが載置され、読取ボタンが押圧された場合（Ｓ２０：ＮＯ、Ｓ２２：ＹＥＳ）、読取数Ｎを「１」増加させ（Ｓ２６）、名刺フォルダＭＢの１度目の読取画像ＹＢ１を生成し、ＲＡＭ２３に記憶する（Ｓ２８）。
【００５５】
ＣＰＵ２１は、ＲＡＭ２３に記憶された読取画像ＹＢ１の画像位置ＬＹ１〜ＬＹ８から、名刺ＮＣ９〜１６の個別画像Ｇ９〜Ｇ１６を切り抜く（Ｓ３０）。ＣＰＵ２１は、各個別画像Ｇを、当該個別画像Ｇが切り抜かれた画像位置ＬＹに関連付けてＲＡＭ２３に記憶する（Ｓ３２）。
【００５６】
次に、ＣＰＵ２１は、読取画像ＹＡから切り抜かれた個別画像Ｇ１〜Ｇ８と読取画像ＹＢ１から切り抜かれた個別画像Ｇ９〜Ｇ１６を比較し、個別画像Ｇ１〜Ｇ１６が表面画像ＧＯであるか裏面画像ＧＵであるかを判断する判断処理を実行する（Ｓ３４〜Ｓ４２）。つまり、ＣＰＵ２１は、判断処理において、前回切り抜かれた個別画像Ｇと今回切り抜かれた個別画像Ｇとを比較する。この判断処理において、読取画像ＹＡは前回読取画像であり、読取画像ＹＢ１は今回読取画像である。個別画像Ｇを比較する方法としては、例えはパターンマッチングなどの画像処理を用いることができ、ＣＰＵ２１は、比較した個別画像Ｇが一致するか否かを判別する。
【００５７】
図６に示すように、ＣＰＵ２１は、個別画像Ｇを比較する場合に、同一の画像位置ＬＹに関連付けられた個別画像Ｇ同士をそれぞれ比較する。以後、判断処理において比較される２つの個別画像Ｇの組み合わせを画像対ＴＩと呼ぶ。すなわち、画像対ＴＩに含まれる２つの個別画像Ｇは、読取部３０によって続けて読み取られて生成された読取画像Ｙから切り抜かれた個別画像Ｇであり、同一の画像位置ＬＹに関連付けられている。同一の画像位置ＬＹは、対応する位置情報の一例である。
【００５８】
ＣＰＵ２１は、個別画像Ｇ１〜Ｇ８及び個別画像Ｇ９〜Ｇ１６の各画像対ＴＩについて比較を行い、各画像対ＴＩの比較結果を取得する。そして、取得した比較結果に基づいて、個別画像Ｇ１〜Ｇ１６が表面画像ＧＯであるか裏面画像ＧＵであるかを判断する（Ｓ３６）。比較結果は、判別結果の一例である。
【００５９】
ＣＰＵ２１は、取得した比較結果が、全ての画像対ＴＩが一致しないことを示す結果である場合（Ｓ３６：全て不一致）、読取画像ＹＡから切り抜かれた個別画像Ｇ１〜Ｇ８が全て表面画像ＧＯであると判断する（Ｓ３８）。ＣＰＵ２１は、上記の判断結果を個別画像Ｇ１〜Ｇ８に関連つけてＲＡＭ２３に記憶し、Ｓ２０からの処理を繰り返す。
【００６０】
ＣＰＵ２１は、Ｓ２０からの繰り返し処理において、使用者によって名刺フォルダＭＢの名刺ＮＣ１１が裏返されて第１プラテンガラス５２上に名刺フォルダＭＢが再び載置され、切換画面の読取ボタンが押圧されると、上述の処理に従って、名刺フォルダＭＢの２度目の読取画像ＹＢ２及び名刺ＮＣ９〜１６の個別画像Ｇ１７〜Ｇ２４をＲＡＭ２３に記憶する。
【００６１】
次に、ＣＰＵ２１は、判断処理を実行し、読取画像ＹＢ２から切り抜かれた個別画像Ｇ１７〜Ｇ２４（つまり、今回切り抜かれた個別画像Ｇ）を、読取画像ＹＢ１から切り抜かれた個別画像Ｇ９〜Ｇ１６（つまり、前回切り抜かれた個別画像Ｇ）と比較し、その比較結果を取得する。この判断処理において、読取画像ＹＢ１は前回読取画像であり、読取画像ＹＢ２は今回読取画像である。
【００６２】
ＣＰＵ２１は、取得した比較結果が、図６に示すように、一部の画像対ＴＩ、すなわち、名刺ＮＣ１１に対応する個別画像Ｇ１１と個別画像Ｇ１９の画像対ＴＩが一致せず、残りの画像対ＴＩが一致することを示す結果である場合（Ｓ３６：一致・不一致が混在）、一致しない画像対ＴＩにおいて、読取画像ＹＢ１から切り抜かれた個別画像Ｇ１１が表面画像ＧＯであり、読取画像ＹＢ２から切り抜かれた個別画像Ｇ１９が裏面画像ＧＵであると判断する。また、一致する画像対ＴＩに対して、これらの画像対ＴＩに含まれる全ての個別画像Ｇが全て表面画像ＧＯであると判断する（Ｓ４０）。
【００６３】
ＣＰＵ２１は、一致しない画像対ＴＩに含まれる個別画像Ｇ１１と個別画像Ｇ１９を、同一の名刺ＮＣ（つまり、名刺ＮＣ１１）の両面の読取画像Ｇであるとして、図６に点線で示すようにこれらを関連つけてＲＡＭ２３に記憶する。また、ＣＰＵ２１は、図６に×印で示すように一致する画像対ＴＩに含まれる個別画像Ｇのうち、読取画像ＹＢ２から切り抜かれた個別画像１７、１８、２０〜２４をＲＡＭ２３から削除し（Ｓ４４）、Ｓ８からの処理を繰り返す。
【００６４】
一方、名刺フォルダＭＢの２度目の読み取りの前に、使用者が名刺ＮＣ１１の裏面の画像の読み取りを不要と判断した場合、使用者は名刺ＮＣ１１を裏返すことなく、名刺フォルダＭＢの２度目の読み取りが実行されることがある。この場合、読取画像ＹＢ１から切り抜かれた個別画像Ｇ９〜Ｇ１６と読取画像ＹＢ２から切り抜かれた個別画像Ｇ１７〜Ｇ２４とは一致し、その比較結果は、全ての画像対ＴＩが一致しないことを示す結果となる（Ｓ３６：全て一致）。
【００６５】
この場合、ＣＰＵ２１は、読取画像ＹＢ１及び読取画像ＹＢ２から切り抜かれた個別画像Ｇ９〜Ｇ２４が全て表面画像ＧＯであると判断する（Ｓ４２）。ＣＰＵ２１は、読取画像ＹＢ２から切り抜かれた個別画像１７〜２４をＲＡＭ２３から削除し（Ｓ４６）、Ｓ８からの処理を繰り返す。
【００６６】
ＣＰＵ２１は、Ｓ８からの繰り返し処理において、使用者によって第１プラテンガラス５２上に名刺フォルダＭＢに代えて名刺フォルダＭＣが載置され、切換画面の読取ボタンが押圧されると、上述の処理に従って、名刺フォルダＭＣの読取画像ＹＣ及び名刺ＮＣ１７〜２４の個別画像Ｇ２５〜Ｇ３２をＲＡＭ２３に記憶する。
【００６７】
そして、ＣＰＵ２１は、読取画像ＹＣ及び個別画像Ｇ２５〜Ｇ３２の記憶後、使用者によって切換画面の終了ボタンが押圧された場合（Ｓ２０：ＹＥＳ、Ｓ２２：ＮＯ）、読取画像ＹＣから切り抜かれた個別画像Ｇ２５〜Ｇ３２がすべて表面画像ＧＯであると判断し（Ｓ２４）、読取処理を終了する。
【００６８】
４．本実施形態の効果
（１）本実施形態の複合機１では、読取処理における判断処理において、前回切り抜かれた個別画像Ｇと今回切り抜かれた個別画像Ｇとをそれぞれ比較する際に、同一の画像位置ＬＹに関連付けられている個別画像Ｇ同士を比較し、その比較結果から前回切り抜かれた個別画像Ｇ及び今回切り抜かれた個別画像Ｇが表面画像ＧＯであるか裏面画像ＧＵであるかを判断する。そのため、従来技術のように、表面読取モードと裏面読取モードを個別に用意し、これらを切り替えて読み取りを実行しなくても、生成した個別画像Ｇが表面画像ＧＯであるか裏面画像ＧＵであるかを判断することができ、容易に原稿の両面を読み取ることができる。
【００６９】
（２）具体的には、前回切り抜かれた個別画像Ｇと今回切り抜かれた個別画像Ｇによって構成される複数の画像対ＴＩにおいて、一部の画像対ＴＩに含まれる個別画像Ｇ同士が一致し、残りの画像対ＴＩに含まれる個別画像Ｇ同士が一致しないと判断された場合、一致しないと判断された画像対ＴＩに含まれる個別画像Ｇが表面画像ＧＯと裏面画像ＧＵの組み合わせであると判断する。これによって、前回切り抜かれた個別画像Ｇ及び今回切り抜かれた個別画像Ｇに裏面画像ＧＵが含まれていることを判断することができる。そして、一致しないと判断された画像対ＴＩに含まれる表面画像ＧＯと裏面画像ＧＵの組み合わせを、同一の名刺ＮＣの両面を読み取った個別画像Ｇとして関連つけて記憶することができる。
【００７０】
（３）また、前回切り抜かれた個別画像Ｇと今回切り抜かれた個別画像Ｇによって構成される複数の画像対ＴＩにおいて、全ての画像対ＴＩが一致しない場合、前回切り抜かれた個別画像Ｇの全てが表面画像ＧＯであると判断する。これによって、前回切り抜かれた個別画像Ｇに裏面画像ＧＵが含まれていないことを判断することができる。
【００７１】
（４）また、前回切り抜かれた個別画像Ｇと今回切り抜かれた個別画像Ｇによって構成される複数の画像対ＴＩにおいて、全ての画像対ＴＩが一致する場合、前回切り抜かれた個別画像Ｇ及び今回切り抜かれた個別画像Ｇの全てが表面画像ＧＯであると判断する。これによって、前回切り抜かれた個別画像Ｇ及び今回切り抜かれた個別画像Ｇに裏面画像ＧＵが含まれていないことを判断することができる。そして、全ての画像対ＴＩにおいて一方の個別画像Ｇを削除することで、ＲＡＭ２３に重複して記憶された名刺ＮＣの個別画像Ｇの一方が削除され、ＲＡＭ２３の記憶容量が増大するのを抑制することができる。
【００７２】
＜実施形態２＞
実施形態２を、図７、８を用いて説明する。本実施形態では、読取処理の判断処理が実施形態１と異なる。以下の説明では、実施形態１と同一の内容については重複した記載を省略する。
【００７３】
１．読取処理
ＣＰＵ２１は、図３に示すＳ１４において前回読取画像を読み取り、Ｓ１８において前回読取画像から個別画像Ｇを切り取り、前回切り抜かれた個別画像ＧＺを生成する。次に、ＣＰＵ２１は、図７に示すＳ２８において今回読取画像を読み取り、Ｓ３２において今回読取画像から個別画像Ｇを切り取り、今回切り抜かれた個別画像ＧＫを生成する。そして、図７に示す判断処理判（Ｓ３４〜Ｓ４０、Ｓ５２〜Ｓ５６）を実行する。
【００７４】
判断処理において、ＣＰＵ２１は、前回切り抜かれた個別画像ＧＺと今回切り抜かれた個別画像ＧＫとを画像対ＴＩにおいて比較し（Ｓ３４）、比較結果を取得する。ＣＰＵ２１は、取得した比較結果が、一致しない画像対ＴＩが含まれることを示す結果である場合（Ｓ３６：不一致あり）、表示部１２に前回切り抜かれた個別画像ＧＺ、前回切り抜かれた個別画像ＧＺ、及び比較結果を含む変更画面を表示する（Ｓ５２）。
【００７５】
図８に示すように、変更画面には、前回切り抜かれた個別画像ＧＺと今回切り抜かれた個別画像ＧＫが並べて表示される。つまり、前回切り抜かれた個別画像ＧＺと今回切り抜かれた個別画像ＧＫによって構成される複数の画像対ＴＩが表示部１２に表示される。また、これらの個別画像Ｇのうち、一致しないと判別された画像対ＴＩに相当する個別画像Ｇが陰（図８では、ハッチ）を付して表示されることで、比較結果が表示される。
【００７６】
使用者は、表示部１２に表示された個別画像Ｇを押圧することで、押圧された個別画像Ｇ、及び画像対ＴＩにおいて当該個別画像Ｇと対をなす個別画像Ｇの比較結果を変更することができる。つまり、陰を付して表示されている個別画像Ｇを押圧することで、当該個別画像Ｇの陰が消え、一致しないと判別された画像対ＴＩが一致する画像対ＴＩへと変更される。また、陰を付されずに表示されている個別画像Ｇを押圧することで、当該個別画像Ｇに陰が付され、一致すると判別された画像対ＴＩが一致しない画像対ＴＩへと変更される。この他、変更画面には、使用者による比較結果の変更を元に戻すためのリセットボタン、比較結果を確定するための確定ボタン等が含まれる。
【００７７】
ＣＰＵ２１は、変更画面を表示後、使用者からの入力を待機する。ＣＰＵ２１は、使用者によって変更画面の確定ボタンが押圧されると、比較結果を更新する（Ｓ５４）。これにより、使用者によって比較結果が変更された場合、比較結果への変更が反映される。また、使用者によって比較結果が変更されない場合、以前の比較結果が維持される。
【００７８】
ＣＰＵ２１は、更新した比較結果が、全ての画像対ＴＩが一致しないことを示す結果である場合（Ｓ５６：全て不一致）、Ｓ３８からの処理を実行する。また、ＣＰＵ２１は、更新した比較結果が、一致する画像対ＴＩが含まれることを示す結果である場合（Ｓ５６：一致あり）、Ｓ４０からの処理を実行する。更新した比較結果は、判断結果の一例である。
【００７９】
一方、ＣＰＵ２１は、取得した比較結果が、全ての画像対ＴＩが一致することを示す結果である場合（Ｓ３６：全て一致）、表示部１２に選択画面を表示する（図示省略）。選択画面には、今回読取画像を再生成するための再読み取りを再度実行するための再読取ボタン、及び再読み取りを実行せずに処理を進めるためのキャンセルボタンが含まれる。ＣＰＵ２１は、選択画面を表示後、使用者からの入力を待機する（Ｓ５８）。選択画面は、選択情報の一例である。
【００８０】
ＣＰＵ２１は、使用者によって再読取ボタンが押圧された場合（Ｓ５８：ＹＥＳ）、Ｓ２０に戻って、処理をやり直す。一方、ＣＰＵ２１は、使用者によってキャンセルボタンが押圧された場合（Ｓ５８：ＮＯ）、Ｓ４６からの処理を実行する。
【００８１】
２．本実施形態の効果
（１）本実施形態の複合機１では、前回切り抜かれた個別画像ＧＺと今回切り抜かれた個別画像ＧＺとを比較し、前回切り抜かれた個別画像ＧＺと今回切り抜かれた個別画像ＧＺに含まれる複数の画像対ＴＩのうち、少なくとも一部の画像対ＴＩが一致しないと判別された場合に、表示部１２にその比較結果を表示し、使用者からの変更を受け付けることで、誤って一致しないと判別された場合には、その比較結果を修正することができる。
【００８２】
（２）本実施形態の複合機１では、前回切り抜かれた個別画像ＧＺと今回切り抜かれた個別画像ＧＺとを比較し、前回切り抜かれた個別画像ＧＺと今回切り抜かれた個別画像ＧＺに含まれる全ての画像対ＴＩが一致すると判別された場合に、表示部１２に選択画面を表示し、使用者から、今回読取画像を再読み取りするか否かの指示を受け付ける。一般に、全ての画像対ＴＩが一致する場合、使用者が、前回全体読取画像の生成のための読み取りと今回全体読取画像の生成のための読み取りの間に、名刺ＮＣの裏返しを忘れた可能性が高い。この複合機１では、上記の場合に、使用者からの指示を受け付けることで、名刺ＮＣの裏面画像ＧＵが読み取られない事態の発生を抑制することができる。
【００８３】
＜他の実施形態＞
本発明は上記記述及び図面によって説明した実施形態に限定されるものではなく、例えば次のような種々の態様も本発明の技術的範囲に含まれる。
（１）上記実施形態では、プリンタ機能、スキャナ機能、コピー機能、ファクシミリ機能などを備えた複合機１を用いて説明を行ったが、本発明はこれに限られない。例えば、少なくともスキャナ機能を有する装置であれば、他の機能の有無は特に限定されない。
【００８４】
（２）上記実施形態では、複合機１が１つのＣＰＵ２１を有し、この１つのＣＰＵ２１によって読取処理等の各種処理が実行される例を用いて示したが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【００８５】
（３）また、ＣＰＵ２１が実行するプログラムが必ずしもＲＯＭ２２に記憶されている必要はなく、ＣＰＵ２１自身に記憶されていてもよければ、他の記憶装置に記憶されていても良い。
【００８６】
（４）上記実施形態では、複数の名刺ＮＣを名刺フォルダＭに収容し、名刺フォルダＭを読み取って生成した読取画像Ｙから、各名刺ＮＣの画像を読み取った個別画像Ｇを生成する場合について説明を行ったが、本発明はこれに限られない。例えば、複数の名刺ＮＣが一定の間隔で第１プラテンガラス５２上に載置され、これら複数の名刺ＮＣを含む読取範囲を読み取って生成した読取画像Ｙから、各名刺ＮＣの画像を読み取った個別画像Ｇを生成してもよい。複数の名刺ＮＣが一定の間隔で第１プラテンガラス５２上に載置されることで、複数の読取画像Ｙ間において、個別画像Ｇの画像位置ＬＹが一致する。
【００８７】
（５）また、名刺フォルダＭを読み取って読取画像Ｙを生成する場合でも、その読み取りの方法は、第１プラテンガラス５２上に載置された名刺フォルダＭを読み取る場合に限られない。ＡＤＦ４０によって搬送経路４５を搬送される名刺フォルダＭを読み取る場合にも適用することができる。
【００８８】
（６）上記実施形態では、複数の原稿の一例として複数の名刺を用いて説明を行ったが、本発明はこれに限られない。原稿としては、例えば店舗における店舗カードやはがき、ゲーム等で用いられるトレーディングカードなどでも良い。
【００８９】
（７）なお、前回読取画像と今回読取画像は必ずしも連続して読み取られて生成される必要はない。例えば、名刺フォルダＭを複合機１によって読み取る場合、複合機１の有する他の機能によって、名刺フォルダＭの読み取り中に他の処理が行われることも考えられる。本発明は、前回読取画像と今回読取画像が指定されれば、読み取られ方や生成される方法によらず適用することができる。
【符号の説明】
【００９０】
１：複合機、１１：指示部、１２：表示部、２１：ＣＰＵ、２２：ＲＯＭ、２３：ＲＡＭ、３０：読取部、５２：第１プラテンガラス、Ｇ：個別画像、ＧＫ：今回切り抜かれた個別画像、ＧＺ：前回切り抜かれた個別画像、ＧＯ：表面画像、ＧＵ：裏面画像、ＬＹ：画像位置、Ｍ：名刺フォルダ、ＮＣ：名刺、ＴＩ：画像対、Ｙ：読取画像
【図１】
2013250725.tif 000003
【図２】
2013250725.tif 000004
【図３】
2013250725.tif 000005
【図４】
2013250725.tif 000006
【図５】
2013250725.tif 000007
【図６】
2013250725.tif 000008
【図７】
2013250725.tif 000009
【図８】
2013250725.tif 000010